(57)【要約】【課題】  学校、病院、及びビル等の建築物の窓に適用される防水及び通気性を具備した窓構造が開示される。【解決手段】  防水及び通気性を具備した窓構造は、外側窓、内側窓、及び固定手段を含む。外側窓は、所定の間隔をおいて外側換気孔が形成される。内側窓は、外側換気孔と対応するように内側換気孔が形成される。固定手段は、内側窓が外側窓の一側に密着され内側窓及び外側窓のうち少なくとも１つがスライド移動できるように構成される。この際、内側窓及び外側窓のうち少なくとも１つがスライド移動することにより内側窓の内側換気孔及び前記外側窓の外側換気孔は交互に配置される。従って、室内の空気を換気又は遮断させることができ、雨風が吹き付ける日に雨水が室内に入らないようにしながらも、室内の空気を換気させることができる。【選択図】図２
2010133215.tif 000002
【特許請求の範囲】
【請求項１】
所定の間隔をおいて外側換気孔２０１が形成された外側窓２００と、
前記外側換気孔２０１と対応するように内側換気孔１０１が形成された内側窓１００と、
前記内側窓１００が前記外側窓２００の一側に密着され前記内側窓１００及び前記外側窓２００のうち少なくとも１つがスライド移動できるように構成された固定手段と、を含み、
前記内側窓１００及び前記外側窓２００のうち少なくとも１つがスライド移動することにより前記内側窓１００の内側換気孔１０１及び前記外側窓２００の外側換気孔２０１は交互に配置されることを特徴とする防水及び通気性を具備した窓構造。
【請求項２】
前記内側窓１００には、ハンドル１０２が形成されることを特徴とする請求項１記載の防水及び通気性を具備した窓構造。
【請求項３】
前記固定手段は、内側窓１００の上下側に形成されたスライディングガイド１０３であることを特徴とする請求項１記載の防水及び通気性を具備した窓構造。
【請求項４】
前記内側窓１００の内側換気孔１０１の間に配置され、前記外側窓２００側に突出した嵌め具３００を更に含み、
前記内側窓１００及び前記外側窓２００のうち少なくとも１つがスライド移動することにより前記嵌め具３００が前記外側窓２００の外側換気孔２０１を開閉するように構成されたことを特徴とする請求項１記載の防水及び通気性を具備した窓構造。
【請求項５】
前記外側窓２００の外側換気孔２０１の間に配置され、前記内側窓１００側に突出した嵌め具３００を更に含み、
前記内側窓１００及び前記外側窓２００のうち少なくとも１つがスライド移動することにより前記嵌め具３００が前記内側窓１００の内側換気孔１０１を開閉するように構成されたことを特徴とする請求項１記載の防水及び通気性を具備した窓構造。
【請求項６】
前記嵌め具３００は弾性材質であることを特徴とする請求項４又は５記載の防水及び通気性を具備した窓構造。
【請求項７】
前記内側窓１００の内側に配置されスライド移動し、換気孔が形成されない主窓を更に含むことを特徴とする請求項１記載の防水及び通気性を具備した窓構造。
【請求項８】
前記内側窓１００と前記外側窓２００との間に配置された防虫網を更に含むことを特徴とする請求項１記載の防水及び通気性を具備した窓構造。
【請求項９】
前記防虫網は、一側から他側に向かって広がるようにロールスクリーン形態に形成されたことを特徴とする請求項８記載の防水及び通気性を具備した窓構造。
【請求項１０】
前記内側窓１００は、一側が固定され所定角度に開閉が可能であることを特徴とする請求項１記載の防水及び通気性を具備した窓構造。
【発明の詳細な説明】
【技術分野】
【０００１】  本発明は、学校、病院、及びビル等の建築物の窓に適用され室内と室外との間の通風が可能であり、雨風が吹き付ける日に室外の雨水が室内に降り込まないように構成された防水及び通気性を具備した窓構造に関する。
【背景技術】
【０００２】  一般的に、公共建物、作業場、事務室、及び共同住宅等を含む各種建築物には、透明なガラス窓が普遍的に設置されるが、前記のガラス窓は、生活空間に対する美麗な景観の確保と、充分な日照量の確保、断熱と防音機能の付与、及び外部汚染物質の流入を遮断して、快適な室内環境を造成するために、等多様な目的として設置されている。【０００３】  何よりも、窓は開閉可能に設置されることにより、窓の開閉を通じて室内の空気を換気させるのが最も重要な機能である。特に、最近は、室内空気は室内で食べ物を作る過程で発生する燃焼ガスや各種建築材料と電子機器によって発生する有害物質等によって汚染されやすいが、このように汚染された空気が室内に持続的に蓄積されると、事務室で勤務する会社員や住宅の居住者の健康を悪化させ、各種疾病を誘発させる虞があるので、これを防止するために、室内の空気をよく換気させなければならない。【０００４】  現在、一般的に広く使用されている建築物のガラス窓は、図１に示すように、ガラス窓１０の下端に形成された窓２０のハンドル３１を回転させて窓２０を窓枠３０に固定している掛け具３２の固定を解除した後、窓２０を建物の外側に押して、窓２０が開かれるようにすることにより、空気を循環させる構造である。【０００５】  前記のような一般的な構造の窓２０は、雨風が吹き付ける日に雨水が室内に入るので、雨降る日には窓２０を開くことができないという問題点があった。
【発明の概要】
【発明が解決しようとする課題】
【０００６】  従って、本発明は、このような問題点を解決するためのもので、本発明は、換気孔が穿孔された二重のガラスを対面させて窓を構成することにより、二重の窓のうち、内側又は外側の窓がスライド移動しつつ換気孔を選択的に開閉することができる防水及び通気性を具備した窓構造を提供することを目的とする。
【課題を解決するための手段】
【０００７】  前記の目的を達成するために、本発明の一実施例による防水及び通気性を具備した窓構造は、外側窓、内側窓、及び固定手段を含む。前記外側窓には、所定の間隔をおいて外側換気孔が形成される。前記内側窓には、前記外側換気孔と対応するように内側換気孔が形成される。前記固定手段は、前記内側窓が前記外側窓の一側に密着され前記内側窓及び前記外側窓のうち少なくとも１つがスライド移動できるように構成される。この際、前記内側窓及び前記外側窓のうち少なくとも１つがスライド移動することにより前記内側窓の内側換気孔及び前記外側窓の外側換気孔は交互に配置される。【０００８】  この際、前記内側窓には、ハンドルが形成されることができる。【０００９】  又、前記固定手段は、内側窓の上下側に形成されたスライディングガイドでも良い。【００１０】  一実施例として、前記窓構造は、前記内側窓の内側換気孔の間に配置され、前記外側窓側に突出した嵌め具を更に含むことができ、前記内側窓及び前記外側窓のうち少なくとも１つがスライド移動することにより前記嵌め具が前記外側窓の外側換気孔を開閉するように構成されることができる。【００１１】  他の実施例として、前記窓構造は、前記外側窓の外側換気孔の間に配置され、前記内側窓側に突出した嵌め具を更に含むことができ、前記内側窓及び前記外側窓のうち少なくとも１つがスライド移動することにより前記嵌め具が前記内側窓の内側換気孔を開閉するように構成されることができる。【００１２】  前記嵌め具３００は、一例として、弾性材質であり得る。【００１３】  一方、前記窓構造は、前記内側窓の内側に配置されスライド移動し、換気孔が形成されない主窓を更に含むことができ、この際、前記内側窓及び前記外側窓は脱着可能な補助窓として活用されることができる。【００１４】  一実施例として、前記窓構造は、前記内側窓と前記外側窓との間に配置された防虫網を更に含むことができる。この際、前記防虫網は、一側から他側に向かって広がるようにロールスクリーン形態に形成されることができる。【００１５】  一実施例として、前記内側窓は、一側が固定され所定角度に開閉することができる。
【発明の効果】
【００１６】  このような防水及び通気性を具備した窓構造によると、内側窓及び外側窓のうち少なくとも１つがスライド移動することにより、内側窓の内側換気孔及び外側窓の外側換気孔が交互に配置されるので、室内の空気を換気又は遮断させることができ、雨風が吹き付ける日に雨水が室内に降り込まないようにしながらも、室内の空気を換気させることができる。【００１７】  又、内側窓又は外側窓に嵌め具を配置することにより、内側窓又は外側窓を選択的に開閉することができる。
【図面の簡単な説明】
【００１８】
【図１】従来の窓を示す斜視図である。
【図２】本発明による窓を示す正面図である。
【図３】図２のＡ−Ａ線断面図である。
【図４】外側窓に嵌め具が付着された状態を示す分解斜視図である。
【図５】内側窓に嵌め具が付着された状態を示す分解斜視図である。
【図６】内側窓のスライド移動による換気状態を示す状態図である。
【図７】内側窓のスライド移動による換気状態を示す状態図である。
【図８】内側窓のスライド移動による換気状態を示す状態図である。
【図９】嵌め具を外側窓又は内側窓に装着する他の形態の実施例である。
【発明を実施するための最良の形態】
【００１９】  以下、添付する図面を参照して本発明を詳細に説明する。
図２は、本発明による窓を示した正面図であり、図３は、図２のＡ−Ａに沿って見た断面図であり、図４は、外側窓に嵌め具の付着された状態を示した分解斜視図であり、図５は、内側窓に嵌め具の付着された状態を示した分解斜視図であり、図６乃至図８は、内側窓のスライド移動による換気状態を示した状態図であり、図９は、嵌め具を外側窓または内側窓に装着する他の形態の実施例である。【００２０】  本発明による放水及び通気性を具備した窓の構造は、図２及び図３に示したように、外側窓２００と、前記外側窓２００の室内側の方向に重なって２重に設けうる内側窓１００で構成される。この際、使用者が前記内側窓１００を容易に開閉しうるように内側窓１００にハンドル１０２を形成してもよい。前記内側窓１００及び前記外側窓２００のうち少なくとも一つは、スライド移動することが可能である。【００２１】  前記内側窓１００は、窓枠３０または外側窓２００に形成された固定手段によって外側窓２００に密着するように付着することができるものの、本発明の一実施例として図２及び図３に示したように窓枠３０に形成されたスライディングガイド１０３が内側窓１００を外側窓２００に密着させながら内側窓１００がスライディング移動できるように構成する。勿論、本発明の固定手段は、前記のようにスライディングガイド１０３に限定されるのではなく、内側窓１００が外側窓２００に密着されかつスライディング移動可能な全ての構成を意味するのである。【００２２】  前記窓の構造は、図２に示したように、前記外側窓２００は、所定の間隔に離隔されて外側換気孔２０１が形成され、前記内側窓１００は、前記外側換気孔２０１と対応するように内側換気孔１０１が形成される。例えば、前記外側窓２００に穿孔された外側換気孔２０１と内側窓１００に穿孔された内側換気孔１０１とは互いに対応するように、即ち、同一の形状と位置に穿孔することができる。【００２３】  前記のような窓の構造によると、内側窓１００及び外側窓２００の少なくとも一つがスライド移動することによって内側窓１００の内側換気孔１０１及び外側窓２００の外側換気孔２０１とが交互に配置されることが可能である。よって、雨風が吹き付ける日に雨水が室内に降り込まないようにしながらも室内の空気を換気させることができる。また、内側換気孔１０１及び外側換気孔２０１の大きさと孔との間隔を調節して交互に配置すると、前記窓の構造を防虫網の代用として活用することもできる。【００２４】  一方、図４に示したように、放水及び通気性を具備した窓の構造は、外側窓２００の外側換気孔２０１の間に配置され、内側窓１００の方に突出した嵌め具３００を含むことができる。他の実施例で、図５に示したように、前記嵌め具３００は、前記内側窓１００の内側換気孔１０１の間に配置され、前記外側窓２００の方に突出することが可能である。【００２５】  また、図９に示したように、前記内側窓１００の内側換気孔１０１または前記外側窓２００の外側換気孔２０１の間に挿入口３０２を穿孔し、前記挿入口３０２に嵌め補助具３０１を挿入して構成してもよい。【００２６】  前記の嵌め補助具３０１は、両側に固定片３０３が形成されることによって、嵌め補助具３０１を���入口３０２に挿入すると、軟質の固定片３０３が収縮されながら嵌め補助具３０１が挿入口３０２に挿入される。前記嵌め補助具３０１が挿入口３０２に挿入されると、固定片３０３のキャッチングジョーによって嵌め補助具３０１が挿入口３０２に固定される。【００２７】  前記のように構成された本発明の窓の構造は、外側窓２００の室内側に内側窓１００が前記外側窓２００と密着して構成され、前記内側窓１００及び前記外側窓２００の少なくとも一つがスライド移動することによって前記内側窓１００の内側換気孔１０１及び前記外側窓２００の外側換気孔２０１が交互に配置されて換気させるか、あるいは前記嵌め具３００が前記内側窓１００の内側換気孔１０１又は前記外側窓２００の外側換気孔２０１を開閉して換気させることができる。【００２８】  前記嵌め具３００は、合成樹脂、シリコン、又はゴムなどの弾性のある材質で成型されることが望ましい。そして、窓の機能上、前記嵌め具３００も透明な材質で成型することが望ましい。【００２９】  前述した窓の構造の作動を詳細に説明すると図６乃至図８のようである。
図６は、窓が開いて外部の空気が外側換気孔２０１及び内側換気孔１０１を通じて室内に流入される状態を示した断面図である。【００３０】  ここで、前記内側窓１００の内側換気孔１０１と前記外側窓２００の外側換気孔２０１は、同一の位置に配置されるので、外部の空気が前記内側換気孔１０１及び前記外側換気孔２０１を通じて室内に流入されることが可能である。【００３１】  一方、雨の日には外部の空気のみならず、雨が外側換気孔２０１及び内側換気孔１０１を通じて室内に流入されることが可能である。【００３２】  図７は、本発明の窓が半分ぐらい開けられた状態であって、この状態では雨風が強く吹き付ける日であるとしても外部の空気が室内に流入されることがあるが、雨は室内に流入されない状態である。【００３３】  図７を参照すると、外側窓２００の外側換気孔２０１と内側窓１００の内側換気孔１０１の位置は同一ではなく、前記外側窓２００と前記内側窓１００との間に配置された嵌め具３００によって前記外側窓２００と内側窓１００は、所定間隔に離隔された状態である。【００３４】  よって、外部の雨が外側窓２００の外側換気孔２０１を通じて降り込んだとしても外側換気孔２０１と内側換気孔１０１の位置が同一ではないので、雨水が内側換気孔１０１を通じて室内に流入されることを防止することができる。【００３５】  この際、外部の空気は外側窓２００の外側換気孔２０１を通じて流入され、嵌め具３００によって離隔された外側窓２００と内側窓１００の隙間を通過して内側窓１００の内側換気孔１０１に流入されるが可能である。【００３６】  図８は、本発明の窓が閉められた状態を示した断面図であり、図７の状態で、内側窓１００または外側窓２００が所定方向にスライド移動され、前記外側窓２００に配置された嵌め具３００が前記内側窓１００の内側換気孔１０１を閉鎖すると、窓が閉まるようになる。この場合、雨水は勿論、外部の空気も室内に流入されることが不可能である。【００３７】  図示していないが、雨の日に雨が外側窓２００の外側換気孔２０１を通じて流入されたとき、流入された雨が外側窓２００と内側窓１００との間に溜まらないよう外側窓２００の下端に雨水の排出のための排出孔（図示せず）を構成してもよい。【００３８】  一方、前記説明では、換気孔１０１、２０１と嵌め具３００がそれぞれ順序に配列された構成で説明するしたが、換気孔１０１、２０１−換気孔１０１、２０１−嵌め具３００−嵌め具３００−換気孔１０１、２０１−換気孔１０１、２０１…などの配列としても本発明を実施することができ、これは本発明の範囲に含まれることと理解されるべきである。【００３９】  また、本発明では、ガラス材質の窓で説明したが、透明アクリル板、金属板、木板、または合板などの材質を用いてもよい。【００４０】  一方、他の実施例で、前記ガラスの構造は、前記内側窓１００の内側に配置されてスライド移動し、換気孔の形成されていない主窓（図示せず）を更に含むことができる。ここで、前記内側窓１００及び前記外側窓２００は、着脱可能な補助窓として活用することができる。【００４１】  更に他の実施例で、前記窓の構造は、前記内側窓１００と前記外側窓２００との間に配置された防虫網（図示せず）を更に含むことができる。前記防虫網は、外部から室内に昆虫類や異物が流入されることを防止することができる。【００４２】  この際、前記防虫網は、一側から他側に向かって広がるようにロールスクリーンの形態に配置してもよい。例えば、前記防虫網は、上側から下側に広がるように形成され、下側に形成されたキャッチングジョに前記防虫網の一端がかかることによって固定されるように構成することができる。これとは違って、前記防虫網の下端にリングを形成し、下側に形成された掛け金に前記防虫網のリングが掛けられることで固定されるように構成することもできる。【００４３】  一方、前記内側窓１００は、一側が固定されて所定角度に開閉することができる。一側が固定された前記内側窓１００を室内側に引っ張って前記内側窓１００を開けると、前記外側窓２００と内側窓１００との間に発生した異物を容易に除去することができる。
【産業上の利用可能性】
【００４４】  以上、添付図面を参照しながら本発明の好適な実施形態について詳細に説明したが、本発明はかかる例に限定されない。本発明の属する技術の分野における通常の知識を有する者であれば、特徴請求の範囲に記載された技術的思想の範疇内において、各種の変更例または修正例に想到し得ることは明らかであり、これらについても、当然に本発明の技術的範囲に属するものと了解される。
【符号の説明】
【００４５】１０    ガラス窓
２０    窓
３０    窓枠
３１    ハンドル
３２    掛け具
４０    壁
１００    内側窓
１０１    内側換気孔
１０２    ハンドル
１０３    スライディングガイド
２００    外側窓
２０１    外側換気孔
３００    嵌め具
３０１    嵌め補助具
３０２    挿入口
３０３    固定片
【図１】
2010133215.tif 000003
【図２】
2010133215.tif 000004
【図３】
2010133215.tif 000005
【図４】
2010133215.tif 000006
【図５】
2010133215.tif 000007
【図６】
2010133215.tif 000008
【図７】
2010133215.tif 000009
【図８】
2010133215.tif 000010
【図９】
2010133215.tif 000011